(57)【要約】【課題】カム溝に対しカムフォロアを好適な位置で固定可能とするレンズ鏡筒を提供すること。【解決手段】外周にカム溝を有して回転可能に保持された円筒カムと、カム溝に係合して回転軸の周りに回転可能に構成され、円筒カムが回転するとカム溝に沿って摺動するカムフォロアを有して、光軸方向に移動可能に構成された複数のレンズ群を保持するレンズ枠と、少なくとも一つのカムフォロアをレンズ群の光軸方向より傾けて固定するレンズ鏡筒において、カムフォロアの取付位置をレンズ群の光軸を法線ベクトルとした面内で微調整後に固定できる位置可変手段を有することを特徴とする。【選択図】  図１
2016033567.tif 000002
【特許請求の範囲】
【請求項１】
外周にカム溝を有して回転可能に保持された円筒カムと、カム溝に係合して回転軸の周りに回転可能に構成され、円筒カムが回転するとカム溝に沿って摺動するカムフォロアを有して、光軸方向に移動可能に構成された複数のレンズ群を保持するレンズ枠と、少なくとも一つのカムフォロアをレンズ群の光軸方向より傾けて固定するレンズ鏡筒において、カムフォロアの取付位置をレンズ群の光軸を法線ベクトルとした面内で微調整後に固定できる位置可変手段を有することを特徴とするレンズ鏡筒。
【請求項２】
前記レンズ枠は、カムフォロアをカムフォロア軸の軸方向へ押圧する第一の付勢部材を有し、前記円筒カムは、カムフォロアを円筒カムに形成された直線溝の内面に押圧する第二の付勢部材を有することを特徴とする請求項１に記載のレンズ鏡筒。
【請求項３】
前記カム溝に形成された直線溝の一部にカム筒の径方向に高低差のある調整溝を有することを特徴とする請求項１又は請求項２に記載のレンズ鏡筒。
【請求項４】
前記調整直線溝は、各カム溝の位相量と同じ位相量の位置に溝を有することを特徴とする請求項１乃至請求項３の何れか一項に記載のレンズ鏡筒。
【請求項５】
レンズ枠はカムフォロアを、レンズ群光軸方向へ取付位置を可変及び固定する位置可変手段を有することを特徴とする請求項１乃至請求項４の何れか一項に記載のレンズ鏡筒。
【発明の詳細な説明】
【技術分野】
【０００１】
本発明は、レンズ鏡筒に関する。
【背景技術】
【０００２】
従来、放送用テレビレンズでは、円筒カムの外周にカム溝を設け、ズームレンズ群に曲線カムフォロアを設け、円筒カムが回転すると曲線カムフォロアがカム溝を摺動し、ズームレンズ群が光軸上を移動する機構を有している。特許文献１ではカム溝の始点をズラすと共に、ズームレンズ群に取り付ける曲線カムフォロアの取付位置の位相角度をズラす構造を提案している。さらに、特許文献２では曲線カムフォロアの取付位置を調整可能とする構造を提案している。
【先行技術文献】
【特許文献】
【０００３】
【特許文献１】特公平２−１７０８３号公報
【特許文献２】特開２００４−１２８４７号公報
【発明の概要】
【発明が解決しようとする課題】
【０００４】
しかしながら、上述の特許文献１に開示された従来技術では、円筒カムのカム溝に対する曲線カムフォロアの微調整が出来ないため、曲線カムフォロアがカム溝に対して均一に接触しない場合がある。また、上述の特許文献２に開示された従来技術では、円筒カムの中心に沿って曲線カムフォロア位置を調整するため、円筒カム中心に向けた方向への調整が出来ず、カム溝に対する曲線カムフォロアの接触範囲にバラつきが生じる場合がある。その結果、曲線カムフォロアがカム溝に対して片当たりとなることがあり、ズーミング時のトルクが増加しやすいという問題がある。さらに、特許文献１では製造誤差によりピント移動を生じても、補正できないという問題がある。
【０００５】
そこで、本発明の目的は、円筒カムに設けられたカム溝に対し曲線カムフォロアを好適な位置で固定可能とするレンズ鏡筒を提供することにある。
【課題を解決するための手段】
【０００６】
上記目的を達成するために、本発明は、外周にカム溝を有して回転可能に保持された円筒カムと、カム溝に係合して回転軸の周りに回転可能に構成され、円筒カムが回転するとカム溝に沿って摺動するカムフォロアを有して、光軸方向に移動可能に構成された複数のレンズ群を保持するレンズ枠と、少なくとも一つのカムフォロアをレンズ群の光軸方向より傾けて固定するレンズ鏡筒において、カムフォロアの取付位置をレンズ群の光軸を法線ベクトルとした面内で微調整後に固定できる位置可変手段を有することを特徴とする。
【発明の効果】
【０００７】
本発明によれば、ズーミング時のトルク増加を防ぐレンズ鏡筒を提供することができる。
【図面の簡単な説明】
【０００８】
【図１】曲線カムフォロア１１の取付箇所を示す、実施例１のズームレンズ群２ａの正面図である。
【図２】ズームレンズ群２ａの全体を示す、ズームレンズ群２ａの正面図である。
【図３】レンズ鏡筒１の断面図である。
【図４】円筒カム３の展開図である。
【図５（ａ）】図１に示すズームレンズ群２ａのＢ−Ｂ断面図であって、円筒カム３に対する曲線カムフォロア１１の取付位置がずれている状態を示す。
【図５（ｂ）】図１に示すズームレンズ群２ａのＢ−Ｂ断面図であって、曲線カムフォロア１１の取付位置を調整した後の状態を示す。
【図６】調整溝１７の曲線カムフォロア１１の突き当て面を別部材とした場合のズームレンズ群２ａの正面図を示す。
【図７】曲線カムフォロア１１の取付箇所を示す、実施例２のズームレンズ群２ａの正面図を示す。
【図８（ａ）】図７に示すズームレンズ群２ａのＣ−Ｃ断面図であって、円筒カム３に対する曲線カムフォロア１１の取付位置がずれた状態を示す。
【図８（ｂ）】図７に示すズームレンズ群２ａのＣ−Ｃ断面図であって、曲線カムフォロア１１の取付位置を調整した後の状態を示す。
【図９】曲線カムフォロア１１の取付箇所を示す、実施例３のズームレンズ群２ａの正面図を示す。
【発明を実施するための形態】
【０００９】
以下に、本発明の好ましい実施の形態を、添付の図面に基づいて詳細に説明する。図１から図９は、本発明の実施形態にかかわるレンズ鏡筒である。
【実施例１】
【００１０】
図１から図６を参照して、本発明の第１の実施例による、レンズ鏡筒について説明する。まず、図１から図３を用いてズームレンズ群２ａ，２ｂ，２ｃの構造について説明する。尚、ズームレンズ群２ａ，２ｂ，２ｃの構成は同じであるため、以下の説明では、ズームレンズ群２ａについて説明する。
【００１１】
レンズ鏡筒１は撮影レンズのズーム部であり、フォーカスレンズ群やリレーレンズ群は不図示とする。レンズ鏡筒１は外周にカム溝を有する円筒カムと曲線カムフォロア、直線カムフォロアを利用する外カム機構を有し、複数のズームレンズ群２ａ，２ｂ，２ｃを光軸１００に沿った方向へ移動させ、変倍作用を行う。円筒カム３は、円筒形状を有し、その外周にはズームレンズ群２ａ，２ｂ，２ｃの軌跡であるカム溝４ａ，４ｂ，４ｃが形成されている。尚、ズームレンズ群２ａの軌跡のカム溝を４ａとし、ズームレンズ群２ｂの軌跡のカム溝を４ｂとし、ズームレンズ群２ｃの軌跡のカム溝を４ｃとする。
【００１２】
円筒カム３は、円筒カム３の中心軸２００方向の前後にカム軸５ａ，５ｂを有し、ベアリング６ａ，６ｂを介して中心軸２００の周りに回転可能に、固定筒７に保持される。カム軸５ａの先端にはプーリー８が固定され、図示していないタイミングベルトにより、ズーム制御用モーターや手動操作用ハンドルなどの回転動力発生部に接続されている。
【００１３】
ズームレンズ群２ａは直線カムフォロア９を光軸１００周りの円周上三か所に有し、固定筒７に同じく光軸１００周りの円周上三か所に設けられた直線溝１０に係合し、光軸１００周りの回転を規制されている。直線カムフォロア９は、直線溝１０に沿って光軸１００方向に摺動可能に構成されている。この結果、ズームレンズ群２ａは光軸１００周りの回転を規制された状態で光軸１００方向に摺動することが出来る。
【００１４】
ズームレンズ群２ａは、カム溝４ａと係合する曲線カムフォロア１１を有する。曲線カムフォロア１１は円筒形状を有し、中心軸２００に垂直な方向を回転軸３００として回転軸３００の周りに回転可能に構成される。曲線カムフォロア１１は光軸１００の法線方向に対して所定角度θ傾いて取り付けられる。曲線カムフォロア１１は円筒カム３に対する取付位置が可変となる。
【００１５】
本実施例に記載のズームレンズ群２ａ，２ｂ，２ｃに設けられる曲線カムフォロア１１は其々、異なる角度傾いて取り付けられて良いものとする。尚、本実施例に記載の取付位置とは、光軸１００を法線ベクトルとする平面内の位置を表す。円筒カム３が回転すると曲線カムフォロア１１がカム溝４ａに沿って回転しながら摺動する結果、ズームレンズ群２ａが光軸１００方向に摺動する。このようにズームレンズ群２ａ，２ｂ，２ｃが移動し、其々のレンズ間隔を変化させることでズーミングを行う。
【００１６】
ズームレンズ群２ａの曲線カムフォロア１１は、コロベース１２に回転可能に取付られている。コロベース１２はズームレンズ群２ａに形成された突出部１３に固定ボルト１４により固定される。このため、コロベース１２は曲線カムフォロア１１を光軸１００を法線ベクトルとする平面上に可変する位置可変手段として機能する。
【００１７】
本実施例では、固定ボルト１４を一箇所のみに記載しているが、その限りではなく、固定ボルト１４を複数箇所設けても良い。ズームレンズ群２ａに形成された突出部１３とコロベース１２の間にはコロベース１２を回転軸３００方向へ付勢する付勢部材であるチャージゴム１５を有する。チャージゴム１５は弾性力を有する部材であればよく、板ばねやコイルばねでも良い。
【００１８】
次に図４を用いて本実施例における円筒カム３について説明する。円筒カム３はカム溝４ａ、４ｂ、４ｃと一体に形成された直線カム溝１６をさらに有する。直線カム溝１６はズームレンズ群２ａ、２ｂ、２ｃを固定筒７から着脱するための溝であり、カム溝４ａ，４ｂ，４ｃと同じ溝幅で形成されている。また、直線カム溝１６はカム溝４ａ，４ｂ，４ｃと同じ加工で同じ加工精度によって形成されている。直線カム溝１６の一部には、カム溝４ａ，４ｂ，４ｃの溝深さよりも浅く形成された調整溝１７を有する。調整溝１７は曲線カムフォロア１１の突き当て面として利用する溝である。
【００１９】
なお、本実施例では曲線カムフォロア１１を直接、調整溝１７に突き当てたが、その限りでなく、突き当て面に樹脂部材を設けても良い。円筒カム３の円周上の調整溝１７の位置に付勢部材であるチャージゴム１８を設ける。チャージゴム１８は調整溝１７内で曲線カムフォロア１１に弾性力を加え、曲線カムフォロア１１を直線カム溝１６の側面に付き当てる弾性部材である。調整溝１７はカム溝４ａとカム溝４ｂの位相間隔Ｌと同じ位置に設けられる。すなわち、ズームレンズ群２ａに設ける曲線カムフォロア１１とズームレンズ群２ｂに設ける曲線カムフォロア１１とが成す位相間隔Ｌで、調整溝１７はカム筒３に設けられる。
【００２０】
次に、図１から図５を用い、円筒カム３の直線カム溝１６に対する曲線カムフォロア１１の取付位置を好適な位置に決める方法について説明する。まず、ズームレンズ群２ａに有する固定ボルト１４により、コロベース１２を突出部１３に固定する。曲線カムフォロア１１は円筒カム３に対する位置を決めていないため、図５（ａ）に示す状態となる。次に、曲線カムフォロア１１を調整溝１７の位置まで摺動させ、固定ボルト１４を緩める。
【００２１】
曲線カムフォロア１１はチャージゴム１５により、回転軸３００方向へ付勢され、円筒カム３の調整溝１７の底面に付き当てられる。同時にチャージゴム１８により、直線カム溝１６の側面に付き当てられる。最後に、固定ボルト１４により、コロベース１２を突出部１３に固定する。以上の操作により、図５（ｂ）に示す状態となり、曲線カムフォロア１１は円筒カム３の直線カム溝１６に対し、好適な位置に取り付けられる。ここで、直線カム溝１６はカム溝４ａ，４ｂ，４ｃと同じ加工精度によって形成されるため、曲線カムフォロア１１はカム溝４ａ，４ｂ，４ｃに対し好適な位置に取り付けられる。
【００２２】
本実施例では、曲線カムフォロア１１の突き当て面を調整溝１７に設けたが、その限りでなく、図６に示すように調整溝１７と対向する位置に位置基準部材２０を設け、チャージゴム１５により曲線カムフォロア１１を位置基準部材２０に付き当てても良い。本実施例は、チャージゴム１８を円筒カム３に固定しているが、調整時のみに使用できるようにビス等で着脱可能な構造としてもよい。また、ゴム部材に限定されず、板バネや円筒カム自体に弾性を持たせても良い。さらに直線カム溝１６は調整溝１７の範囲がカム溝４ａ，４ｂ，４ｃと同じであれば、他は幅広に形成しても良い。
【００２３】
以上のように、本実施例によれば、直線カム溝１６に設けた調整溝１７を利用して、カム溝４ａ，４ｂ，４ｃに対する曲線カムフォロア１１の位置を好適な位置に固定出来る。また、各ズームレンズ群２ａ，２ｂ，２ｃに設ける曲線カムフォロア１１の取付位置を、カム溝４ａ，４ｂ，４ｃと同じ加工精度の直線カム溝１６と調整溝１７に付き当てて固定することで、各ズームレンズ群２ａ，２ｂ，２ｃに設ける曲線カムフォロア１１とカム溝４ａ，４ｂ，４ｃの相対的な位置誤差をなくせる。
【実施例２】
【００２４】
以下、図７と図８を用いて、本発明の第二の実施例によるレンズ鏡筒について説明する。尚、実施例１と同じ構造については説明を割愛する。また、曲線カムフォロア１１の調整方法は実施例１と同等のため、説明を割愛する。図７は実施例２のズームレンズ群２ａの正面図を示す。図８は図７に記載のＣ−Ｃ断面図であり、図８（ａ）は円筒カム３に対する曲線カムフォロア１１の取付位置がずれた状態を示し、図８（ｂ）は曲線カムフォロア１１の取付位置を調整した後の状態を示す。
【００２５】
曲線カムフォロア１１は回転軸３００方向のみに移動可能なコロベース２１に固定される。コロベース２１は光軸１００を法線ベクトルとする面内で回転軸３００に垂直な方向のみに移動可能なコロベース２２に取り付けられ、固定ボルト２３により固定される。コロベース２２は突出部１３に固定ボルト２４により固定される。
【００２６】
チャージゴム１５はコロベース２１、２２の間に挟持され、コロベース２１を回転軸３００方向へ付勢する。チャージゴム１８は曲線カムフォロア１１を直線カム溝１６の側面に向けて付勢する。以上の構成によって、曲線カムフォロア１１は調整溝１７の底面と、直線カム溝１６の側面に付き当てられる。曲線カムフォロア１１をカム溝４ａ，４ｂ，４ｃに対し好適な位置に取り付ける。
【実施例３】
【００２７】
以下、図９を用いて、本発明の第三の実施例によるレンズ鏡筒について説明する。尚、実施例１、２と同じ構造箇所に関しては説明を割愛する。また、曲線カムフォロア１１の固定方法は実施例１と同等のため、説明を割愛する。図９は実施例３のズームレンズ群２ａの正面図を示す。
【００２８】
曲線カムフォロア１１は光軸１００を法線ベクトルとする面内で回転軸３００に垂直な方向のみに移動可能なコロベース２５に固定される。コロベース２５はベース台２６に取り付けられ、固定ボルト２４により固定される。ベース台２６はズームレンズ群２ａの内径側から、固定ボルト２７により固定される。チャージゴム１５はベース台２６とズームレンズ群２ａに挟持され、ベース台２６を回転軸３００方向へ付勢する。チャージゴム１８は曲線カムフォロア１１を直線カム溝１６の側面に向けて付勢する。以上の構成によって、曲線カムフォロア１１を調整溝１７の底面と、直線カム溝１６の側面に付き当てて、ズームレンズ群２ａの内径側から固定する。
【００２９】
本実施例において、固定ボルト２７と対応する穴形状を光軸１００方向への長穴とすることで、ズームレンズ群２ａの光軸方向位置を調整することも可能となる。よって、ピント移動の補正を行うことができる。
【００３０】
以上、本発明の好ましい実施形態について説明したが、本発明はこれらの実施形態に限定されず、その要旨の範囲内で種々の変形及び変更が可能である。
【符号の説明】
【００３１】
２ａ  ズームレンズ群、３  円筒カム、４ａ  カム溝、７  固定筒、
１１  曲線カムフォロア、１２  コロベース、１３  突出部、１４  固定ビス、
１５  チャージゴム、１６  直線カム溝、１７  調整溝、１８  チャージゴム、
３００  曲線カムフォロアの回転軸、θ  曲線カムフォロアの傾き位相角度
【図１】
2016033567.tif 000003
【図２】
2016033567.tif 000004
【図３】
2016033567.tif 000005
【図４】
2016033567.tif 000006
【図５（ａ）】
2016033567.tif 000007
【図５（ｂ）】
2016033567.tif 000008
【図６】
2016033567.tif 000009
【図７】
2016033567.tif 000010
【図８（ａ）】
2016033567.tif 000011
【図８（ｂ）】
2016033567.tif 000012
【図９】
2016033567.tif 000013